(57)【要約】【課題】前後方向の開放感に優れるとともに、前後寸法の小さなベンチを提供する。【解決手段】床面１に立設された左右１対のベース支柱２ａの前面に、前方を向くとともに、床面１より所要寸法離間するブラケット５の基端を固着し、該両ブラケット５の上面に、座体１１の左右両端部下面を載置して固定し、かつ両ベース支柱２ａの上端に、前面がベース支柱２ａの前面よりも後方に位置する補助支柱２ｂを立設し、この補助支柱２ｂの前面に、左右方向を向く背当て２０を取付ける。【選択図】        図２
2005021180.tif 000002
【特許請求の範囲】
【請求項１】
床面に立設された少なくとも左右１対のベース支柱の前面に、前方を向くとともに、床面より所要寸法離間するブラケットの基端を固着し、該両ブラケットの上面に、座体の左右両端部下面を載置して固定し、かつ前記両ベース支柱の上端に、前面がベース支柱の前面よりも後方に位置する補助支柱を立設し、この補助支柱の前面に、左右方向を向く背当てを取付けたことを特徴とするベンチ。
【請求項２】
補助支柱をベース支柱よりも細い形状とし、かつベース支柱の上端面の中央に立設してなる請求項１記載のベンチ。
【請求項３】
ブラケットの前端部上面に、座体の前後方向の中央部下面を載置して固定した請求項１または２記載のベンチ。
【請求項４】
座体の着座面の床面よりの高さを、通常のベンチの着座面より高くするとともに、着座面を前下方に若干傾斜させてなる請求項１〜３のいずれかに記載のベンチ。
【請求項５】
ベース支柱の前面に、上下方向を向く凹溝を設け、この凹溝にブラケットの基端を嵌合して固着した請求項１〜４のいずれかに記載のベンチ。
【請求項６】
左右のブラケットの前端部上面に、左右方向を向く複数の座取付杆を横架し、この座取付杆に、座体の下面の複数個所を固定した請求項１〜５のいずれかに記載のベンチ。
【発明の詳細な説明】
【０００１】
【発明の属する技術分野】
本発明は、例えば駅のプラットホーム等に設置されるベンチに関する。
【０００２】
【従来の技術】
この種のベンチとしては、床面に左右方向を向く所要高さの支持体（上向段部）を立設し、この支持体の前面に後端が固着された左右複数のブラケット（脚体）の上面に、複数本の支持杆を横架し、この支持杆上に、複数個の座板を取付けたものがある（例えば特許文献１参照）。
また壁面に複数のブラケットの後端を固着し、各ブラケットの上面に、左右方向を向く長寸の座体を取付けたものも知られている。
【０００３】
【特許文献１】
実公平５−２５４９５号公報（第１、第２図）
【０００４】
【発明が解決しようとする課題】
上記特許文献１に記載されている従来のベンチ、及び壁面に座体を取付けたベンチでは、いずれも、支持体や壁面が障害となって、前後方向の開放感に乏しく、特に、座体が壁面に取付けたベンチでは、前後方向の見通しが悪く、圧迫感がある。
【０００５】
また、特許文献１記載のベンチのように、座板が、左右のブラケットのほぼ中央部に横架した支持杆上に取付けられていると、例えば支持体の上下寸法を大とし、その前面に背当てを前向きに突設しようとした際に、背当ての前端が着座者の背中よりも前方に位置し、着座姿勢が浅くなって座り心地が悪くなることがあるため、ブラケットの前方への突出寸法を大として、座体の取付位置を前方にずらす必要がある。
【０００６】
このようにすると、ベンチ全体の前後寸法が大となり、その設置スペースも大きくなるので好ましくない。
このような問題は、壁面取付型のベンチにおいて、壁面に背当てを突設した際にも起こりうる。
【０００７】
本発明は、上記問題点に鑑みてなされたもので、前後方向の開放感に優れるとともに、前後寸法を小として、設置の際に省スペース化が図れるようにしたベンチを提供することを目的としている。
【０００８】
【課題を解決するための手段】
本発明によると、上記課題は、次のようにして解決される。
（１）床面に立設された少なくとも左右１対のベース支柱の前面に、前方を向くとともに、床面より所要寸法離間するブラケットの基端を固着し、該両ブラケットの上面に、座体の左右両端部下面を載置して固定し、かつ前記両ベース支柱の上端に、前面がベース支柱の前面よりも後方に位置する補助支柱を立設し、この補助支柱の前面に、左右方向を向く背当てを取付ける。
【０００９】
（２）上記（１）項において、補助支柱をベース支柱よりも細い形状とし、かつベース支柱の上端面の中央に立設する。
【００１０】
（３）上記（１）または（２）項において、ブラケットの前端部上面に、座体の前後方向の中央部下面を載置して固定する。
【００１１】
（４）上記（１）〜（３）項のいずれかにおいて、座体の着座面の床面よりの高さを、通常のベンチの着座面より高くするとともに、着座面を前下方に若干傾斜させる。
【００１２】
（５）上記（１）〜（４）項のいずれかにおいて、ベース支柱の前面に、上下方向を向く凹溝を設け、この凹溝にブラケットの基端を嵌合して固着する。
【００１３】
（６）上記（１）〜（５）項のいずれかにおいて、左右のブラケットの前端部上面に、左右方向を向く複数の座取付杆を横架し、この座取付杆に、座体の下面の複数個所を固定する。
【００１４】
【発明の実施の形態】
以下、本発明の実施形態を、図面に基づいて説明する。
図１は、本発明のベンチ（Ｂ）の側面図、図２は、同じく斜視図で、駅のプラットホーム等の床面（１）には、左右１対の支柱（２）（２）が立設されている。
【００１５】
支柱（２）は、下半部のベース支柱（２ａ）と、その上面中央に立設された、前後左右寸法がベース支柱（２ａ）のそれとほぼ半分の寸法をなす細い補助支柱（２ｂ）とからなり、それらの支柱（２ａ）（２ｂ）は、平面視ほぼ正方形の角筒状断面をなしている。
【００１６】
図３に示すように、上記ベース支柱（２ａ）における前後左右（以下、図１の左方を前として説明する）の４面には、上下方向を向く凹溝（３）が形成されている。
【００１７】
また、上記補助支柱（２ｂ）の前後の面にも、上下方向を向く凹溝（４）が形成されている。
【００１８】
左右の支柱（２）におけるベース支柱（２ａ）前面の凹溝（３）の上部には、中央部が開口された側面視ほぼ三角形をなすブラケット（５）（５）が、その基端の上下方向を向く取付基板（５ａ）をがたなく嵌合して、その上下の端部を左右２個ずつのねじ（６）をもって固着することにより、やや前上方に向かって傾斜するように固定されている。
（５ｂ）は、左右両側方に突出する補強リブである。
【００１９】
左右のブラケット（５）の前端部上面に形成された凹入部（７）には、図４にも示すように、左右方向を向き、かつ両端が閉塞された前後２本のパイプ状の座取付杆（８）（８）の両端部が、ブラケット（５）の前端部下面の挿通孔（９）（９）より挿入したボルト（１０）（１０）により固定されている。
【００２０】
（１１）は、座取付杆（８）の左右寸法とほぼ等長をなす座体で、例えば木製よりなる座板（１２）と、その左右両端に固着された金属製の座フレーム（１３）（１３）と、座板（１２）の上面に固定された、側面視下向コ字状の複数（２個）の肘当て（１４）とからなっている。
【００２１】
上記左右の座フレーム（１３）の中央部下面には、下面に、前後の座取付杆（８）の左右両端に上方より嵌合可能な上向き半円状の保持溝（１５）（１５）を有する上部座取付部材（１６）が固着されている。
【００２２】
（１７）は、上記上部座取付部材（１６）と対をなす下部座取付部材で、その上面には、前後の座取付杆（８）の下半部に嵌合可能な下向半円状の保持溝（１８）（１８）が形成されている。
【００２３】
上記左右の上部座取付部材（１６）の保持溝（１５）を、前後の座取付杆（８）の両端に上方より嵌合したのち、下部座取付部材（１７）の保持溝（１８）を、上部座取付部材（１６）と対向する下方において座取付杆（８）の下半部に嵌合し、図１に示すように、下部座取付部材（１７）の中央部に下方より挿入したボルト（１９）の上端部を、上部座取付部材（１６）の中央部のめねじ孔（図示略）に螺合し、座取付杆（８）を強く締付けることにより、座体（１１）は、その座板（１２）の下面の中央部が、座取付杆（８）と近接する上方に位置するとともに、前下方に所定角度（例えば４°）傾斜するようにして固定されている。
【００２４】
なお、座体（１１）の着座面の中央部の床面よりの高さは、例えばほぼ５０ｃｍとされ、一般的なベンチの着座面よりも高くしてある。
【００２５】
このように、着座面を高くするとともに、座板（１２）を若干前下方に傾斜させると、高齢者や足腰の不自由な人の立ち座りが容易となる。
上記補助支柱（２ｂ）の上端部の前面には、背当て（２０）が取付けられている。
【００２６】
背当て（２０）は、図５にも示すように、座体（１１）の左右寸法とほぼ等長をなすとともに、外形が円形をなす概ね丸パイプ状をなし、前後両面には、左右方向を向く凹条（２１）が形成されている。
【００２７】
前面側の凹条（２１）には、若干前後方向に弾性変形可能な合成樹脂よりなるクッション材（２２）が、また後面側の凹条（２１）には、カバー（２３）が、それぞれ嵌着されている。
【００２８】
左右の補助支柱（２ｂ）における前面の凹溝（４）の上端部には、前方を向く平面視Ｈ字状のブラケット（２４）が、その後端（基端）の上下方向を向く後部取付片（２４ａ）を嵌合してボルト（２５）止めすることにより固着されている。
【００２９】
両ブラケット（２４）における前端の左右方向を向く前部取付片（２４ｂ）に、背当て（２０）における後面側の凹条（２１）の左右両端を、カバー（２３）の一部を貫通して嵌合し、ボルト（２５）により固着することにより、背当て（２０）は、補助支柱（２ｂ）の上端部に、座板（１２）の後端部の上方に位置するように所要寸法前方に突出した状態で取付けられている。
【００３０】
以上説明したように、上記実施形態のベンチ（Ｂ）においては、床面（１）に左右１対の支柱（２）を立設し、その前面に取付けたブラケット（５）の前端部上面に、座体（１１）を、前後１対の座支持杆（８）を介して固定しているため、従来の壁面等に座体を取付けたものに比して、前後方向に大きな開放感が得られるとともに、座体（１１）の下方の清掃等も容易に行いうる。
【００３１】
また、座体（１１）は、その下面の中央部が支持されているため、従来のようにブラケットの前後寸法を大とする必要はない。
【００３２】
さらに、補助支柱（２ｂ）を、ベース支柱（２ａ）よりも細くし、背当て（２０）のブラケット（２４）の固定面を、座体（１１）のブラケット（５）の固定面よりも後方に位置するようにしているため、背当て（２０）の前方への突出寸法が小さくなるとともに、その形状や大きさ等を設計する際の自由度が大となり、背当て（２０）の補助支柱（２ｂ）よりの突出寸法や大きさ、形状を、着座者（Ｐ）の背中の位置に合わせて最適に設定することができる。
【００３３】
しかも、座体（１１）の取付位置を前方にずらす必要がないので、ベンチ（Ｂ）全体の前後寸法を小さくでき、設置する際の省スペース化が図れる。
【００３４】
ブラケット（５）の基端の取付基板（５ａ）が、ベース支柱（２ａ）の凹溝（３）内にがたなく嵌合されて固定されているため、ブラケット（５）の左右方向のねじれ剛性が大きく、座体（１１）を安定的に支持しうる。
【００３５】
なお、上記実施形態においては、ベース支柱（２ａ）及び補助支柱（２ｂ）の後面にも凹溝（３）（４）が形成されているので、支柱（２）の後面にも、上記と同様の座体（１１）と背当て（２０）を、背中合わせに、かつ前後対称的に設けることができる。
【００３６】
この際、補助支柱（２ｂ）は、それよりも前後左右寸法の大きなベース支柱（２ａ）の上面中央に立設されているため、後部に設けた背当ての固定面が、後部の座体の固定面よりも前方に位置することとなり、上記前部の背当て（２０）と同様、その後方への突出寸法を最適に設定することができる。
【００３７】
本発明は、上記実施形態に限定されるものではない。
上記実施形態では、左右のブラケット（５）に２本の座取付杆（８）を横架し、この座取付杆（８）の両端部に、座板（１２）の両端部を固定しているが、このような座取付杆（８）を省略し、座板（１２）の両端部を両ブラケット（５）に直接固定することもある。
【００３８】
また、上記実施形態では、背当て（２０）の固定面を座体（１１）の固定面より後方とするために、補助支柱（２ｂ）をベース支柱（２ａ）よりも細くしているが、例えば図６に示すように、角筒状の一体をなす支柱（２６）の上半部を、その前面が下半部の支柱の前面よりも後方に位置するように、前後寸法を小とした補助支柱（２６ａ）とし、この補助支柱（２６ａ）の上端部の前面に、背当て（２０）を、ブラケット（２４）を介して取付けるようにしてもよい。
【００３９】
【発明の効果】
請求項１記載の発明によれば、座体は、左右のベース支柱の前面に、ブラケットを介して取付けられているため、従来の壁面等に取付けたものに比して、前後方向に大きな開放感が得られる。
【００４０】
また、背当ては、ベース支柱の前面よりも後方に位置する補助支柱の前面に取付けられているので、背当ての前方への突出寸法を小さくすることができる。従って、ブラケットの前後寸法を大とするなどして、座体の取付位置を前方にずらす必要はなく、ベンチ全体の前後寸法が小さくなることにより、設置場所の省スペース化が図れる。
【００４１】
請求項２記載の発明によれば、ベース支柱及び補助支柱の後面に、座体及び背当てを取付けた際にも、上記と同様、ベンチ全体の前後寸法を小さくすることができるとともに、ベンチを前後対称的に、体裁よく設置しうる。
また、補助支柱が細いので、歩行者がそれに当たったり、歩行の妨げとなるなどの恐れが小さくなる。
【００４２】
請求項３記載の発明によれば、ブラケットの前後寸法を小さくしうるとともに、座体の下方に比較的大きな空間が形成され、その空間に大きな手荷物等を置くことができる。
【００４３】
請求項４記載の発明によれば、高齢者や足腰の不自由な人の立ち座りが容易となる。
【００４４】
請求項５記載の発明によれば、ブラケットの左右方向のねじれ剛性が大となるので、座体に大きな荷重が加わっても、ブラケットの基端が左右にねじれることはなく、座体を安定的に支持することができる。
【００４５】
請求項６記載の発明によれば、左右のブラケットが複数の座取付杆により連結されているので、座体の支持強度が大となる。
【図面の簡単な説明】
【図１】本発明のベンチの側面図である。
【図２】同じく斜視図である。
【図３】図１のＩＩＩ−ＩＩＩ線の拡大横断平面図である。
【図４】ブラケットへの座取付杆固定部の一部切欠側面図である。
【図５】図２のＶ−Ｖ線の拡大縦断側面図である。
【図６】補助支柱の変形例を示す側面図である。
【符号の説明】
（１）床面
（２）支柱
（２ａ）ベース支柱
（２ｂ）補助支柱
（３）（４）凹溝
（５）ブラケット
（５ａ）取付基板
（５ｂ）補強リブ
（６）ボルト
（７）凹入部
（８）座取付杆
（９）挿通孔
（１０）ボルト
（１１）座体
（１２）座板
（１３）座フレーム
（１４）肘当て
（１５）保持溝
（１６）上部座取付部材
（１７）下部座取付部材
（１８）保持溝
（１９）ボルト
（２０）背当て
（２１）凹条
（２２）クッション材
（２３）カバー
（２４）ブラケット
（２４ａ）後部取付片
（２４ｂ）前部取付片
（２５）ボルト
（２６）支柱
（２６ａ）補助支柱
（Ｂ）ベンチ
（Ｐ）着座者
【図１】
2005021180.tif 000003
【図２】
2005021180.tif 000004
【図３】
2005021180.tif 000005
【図４】
2005021180.tif 000006
【図５】
2005021180.tif 000007
【図６】
2005021180.tif 000008